(57)【特許請求の範囲】
【請求項１】
ハウジングとしてのカップ状の外筒と、
外筒内に同心状に嵌め込まれて相互に独立して回動し得るように支持された内側内筒および内側外筒と、
一端に外部の錨止部と係合する係合部が形成され、他端に内側内筒および内側外筒に形成された切り欠きに嵌り込み可能な錠止部が形成され、中央部が内側内筒および内側外筒の軸心と平行であって軸心を含まない平面内で回動可能に支持され内側内筒および内側外筒の内方に装着されるラッチ体と、
内側内筒および内側外筒の外方に配置されて内側内筒および内側外筒を回動させ得るダイヤルと、を備え
内側内筒および内側外筒に形成された切り欠きに錠止部が嵌り込み可能となる、内側内筒および内側外筒の回動位置が、解錠位置とされる可変ダイヤル錠において、
ダイヤルの内方でダイヤルと嵌合して共に回動し得るドラムを備え、
ダイヤルによる内側内筒の回動が、ダイヤルと共に回動するドラムの内方端部と内側内筒の外方端部との嵌合によるものであり、
ダイヤルによる内側外筒の回動が、ダイヤルと共に回動するドラムの内方端部に形成された第２係合部と内側外筒の外方端部に形成された第１係合部との係合によるものであり、
ダイヤルに連結される中心軸と、中心軸に固定されるクラッチラックと、このクラッチラックに噛み合い可能とされ且つドラムと共に回動するクラッチとが設けられ、
解錠位置に対するダイヤルの回動位置を変更可能な第１状態と、解錠位置に対するダイヤルおよびダイヤルと共に回動するドラムの回動位置を変更可能な第２状態とを有し、
第１状態は、ダイヤルが外方に引張られることにより、ダイヤルとドラムとの嵌合を解除した状態であり、
第２状態は、ダイヤルが第１状態よりも外方に引張られることにより、クラッチラックがクラッチに噛み合ってこのクラッチを外方に移動させて、ドラムの第２係合部と内側外筒の第１係合部との係合を解除するとともに、ドラムと内側内筒との嵌合を解除した状態であることを特徴とする可変ダイヤル錠。
【発明の詳細な説明】
【技術分野】
【０００１】
本発明は、可変ダイヤル錠に関し、より詳細には、解錠状態で摘みを操作して簡便に解錠番号を変更することができる可変ダイヤル錠の技術に関する。
【背景技術】
【０００２】
従来から解錠番号を変更することができる可変ダイヤル錠８１はあった。図２４は、特許文献１に記載される従来の可変ダイヤル錠８１の断面図であり、図２５は、内側内筒８２および内側外筒８３の構成を示す斜視図である。図２６は、第１および第２リングストッパー８４，８５の構成を示す斜視図である。以後、内方とは郵便受の内側を示し、外方とは郵便受の外側を示すこととする。
【０００３】
摘み８６の操作によって回動する内側内筒８２と、内側内筒８２の外側に入れ子状に設けられ内側内筒８２に係合して回動する内側外筒８３とが設けられ、内側内筒８２および内側外筒８３の内方には、番号変換ブロック８７に支持された第１および第２リングストッパー８４，８５が設けられる。第１および第２リングストッパー８４，８５は、夫々内側内筒８２および内側外筒８３に係合されるが、番号変換ブロック８７の出し入れによって内側内筒８２および内側外筒８３から切り離し可能である。
【０００４】
可変ダイヤル錠８１を解錠するときには、摘み８６を回して解錠番号を不図示の目盛に合わせると、内側内筒８２および内側外筒８３に係合する第１および第２リングストッパー８４，８５の切り欠き部８８，８９がラッチ９０の回動可能位置に移動し、ラッチ９０が解錠位置に回動されて解錠される。
【０００５】
解錠番号を変更するときには、解錠後可変ダイヤル錠８１の裏面を正面に見て番号変換ブロック８７を手前に引いて内側内筒８２および内側外筒８３から対応するリングストッパー８４，８５を引き離す。この解錠状態では、ラッチ９０と、内側内筒８２および内側外筒８３の切り欠き部９４，９５とは相互に拘束されており摘み８６の操作ができないので、まず郵便受けの蓋を閉めてラッチ９０を施錠角度位置に置く。ラッチ９０が施錠角度位置に置かれると、ラッチ９０の錠止部９１がリングストッパー８４，８５の中心開口部９２，９３に引っ込むので、内側内筒８２および内側外筒８３が自由に回動することができるようになる。
【０００６】
次に、摘み８６を操作して内側内筒８２および内側外筒８３を各々新しい解錠番号の数字に対応した角度位置に置いた状態で再度郵便受けの蓋を開き、番号変換ブロック８７を押し込むと、内側内筒８２および内側外筒８３にリングストッパー８４，８５が係合し、内側内筒８２および内側外筒８３と第１および第２リングストッパー８４，８５との相対角度位置が定まり新しい解錠番号が設定される。
【先行技術文献】
【特許文献】
【０００７】
【特許文献１】特開２００２−１３８７２０号公報
【発明の概要】
【発明が解決しようとする課題】
【０００８】
解錠番号を変更する場合に、解錠後可変ダイヤル錠８１の裏面側から番号変換ブロック８７を引張って内側内筒８２および内側外筒８３から各々対応するリングストッパー８４，８５を引き離さなければならず、さらに郵便受けの蓋を閉めてラッチ９０を施錠角度位置に置かなければ摘み８６の操作をすることができない。また郵便受けの蓋を閉めて摘み８６の操作をした後に、郵便受けの蓋を開けて番号変換ブロック８７を押し込まなければならない。
【０００９】
本発明の目的は、このような課題を解決するもので、解錠状態で摘みを操作して簡便に解錠番号を変更することができる可変ダイヤル錠を提供することである。
【課題を解決するための手段】
【００１０】
この課題を解決するために本発明は、ハウジングとしてのカップ状の外筒と、外筒内に同心状に嵌め込まれて相互に独立して回動し得るように支持された内側内筒および内側外筒と、一端に外部の錨止部と係合する係合部が形成され、他端に内側内筒および内側外筒に形成された切り欠きに嵌り込み可能な錠止部が形成され、中央部が内側内筒および内側外筒の軸心と平行であって軸心を含まない平面内で回動可能に支持され内側内筒および内側外筒の内方に装着されるラッチ体と、内側内筒および内側外筒の外方に配置されて内側内筒および内側外筒を回動させ得るダイヤルと、を備え内側内筒および内側外筒に形成された切り欠きに錠止部が嵌り込み可能となる、内側内筒および内側外筒の回動位置が、解錠位置とされる可変ダイヤル錠において、ダイヤルの内方でダイヤルと嵌合して共に回動し得るドラムを備え、ダイヤルによる内側内筒の回動が、ダイヤルと共に回動するドラムの内方端部と内側内筒の外方端部との嵌合によるものであり、ダイヤルによる内側外筒の回動が、ダイヤルと共に回動するドラムの内方端部に形成された第２係合部と内側外筒の外方端部に形成された第１係合部との係合によるものであり、ダイヤルに連結される中心軸と、中心軸に固定されるクラッチラックと、このクラッチラックに噛み合い可能とされ且つドラムと共に回動するクラッチとが設けられ、解錠位置に対するダイヤルの回動位置を変更可能な第１状態と、解錠位置に対するダイヤルおよびダイヤルと共に回動するドラムの回動位置を変更可能な第２状態とを有し、第１状態は、ダイヤルが外方に引張られることにより、ダイヤルとドラムとの嵌合を解除した状態であり、第２状態は、ダイヤルが第１状態よりも外方に引張られることにより、クラッチラックがクラッチに噛み合ってこのクラッチを外方に移動させて、ドラムの第２係合部と内側外筒の第１係合部との係合を解除するとともに、ドラムと内側内筒との嵌合を解除した状態であるものである。
【発明の効果】
【００１１】
請求項１記載の発明によれば、内側内筒の内側には、ドラムが連結されるクラッチと、ダイヤルが連結された中心軸に固定されクラッチと噛み合い可能なクラッチラックとが設けられ、錠止部が解錠可能位置に置かれた内側内筒および内側外筒の切り欠きを通過した状態で、ダイヤルが外方に引張られると、クラッチラックがクラッチと噛み合い内側内筒から分離され独立して回動可能となるドラムと、ドラムから分離され独立して回動可能となるダイヤルとに表示される番号の組み合わせを変更して新たな解錠番号を設定することができるように構成したので、郵便受けの蓋を閉めてラッチ体を施錠位置に置く必要がなく、解錠状態でダイヤルを操作して解錠番号を変更することができる可変ダイヤル錠を提供することができる。
【図面の簡単な説明】
【００１２】
【図１】可変ダイヤル錠１の平面図である。
【図２】可変ダイヤル錠１の正面図である。
【図３】可変ダイヤル錠１の断面図である。
【図４】可変ダイヤル錠１を構成する部品を示す図である。
【図５】クラッチ８の正面図である。
【図６】外方端部４３の断面図である。
【図７】内側内筒６の平面図である。
【図８】内側内筒６の側面図である。
【図９】内側外筒５の平面図である。
【図１０】内側外筒５の側面図である。
【図１１】本体２の平面図である。
【図１２】本体２の側面図である。
【図１３】本体２の断面図である。
【図１４】ドラム９の平面図である。
【図１５】ドラム９の下面図である。
【図１６】ドラム９の断面図である。
【図１７】ダイヤル１０の平面図である。
【図１８】ダイヤル１０の下面図である。
【図１９】ダイヤル１０の断面図である。
【図２０】ダイヤル１０とドラム９とが回動可能となった状態の可変ダイヤル錠１の正面図である。
【図２１】ダイヤル１０とドラム９との嵌合が解除された状態を示す断面図である。
【図２２】ダイヤル１０とドラム９とが一体となって回動可能となった状態を示す断面図である。
【図２３】新たな解除番号と目盛６０に合わせるドラム９およびダイヤル１０の番号との関係を示す図である。
【図２４】従来の可変ダイヤル錠８１の断面図である。
【図２５】内側内筒８２および内側外筒８３の構成を示す斜視図である。
【図２６】第１および第２リングストッパー８４，８５の構成を示す斜視図である。
【発明を実施するための形態】
【００１３】
以下、本発明の一実施形態について図１〜図２３に基づいて説明する。図１は、可変ダイヤル錠１の平面図であり、図２は、可変ダイヤル錠１の正面図である。図３は、可変ダイヤル錠１を軸心２４を含んだ平面で切断した断面図である。図４は、可変ダイヤル錠１を構成する部品を示す断面図である。なお、外方とは可変ダイヤル錠１が設置された郵便受の外側を示し、内方とは可変ダイヤル錠１が設置された郵便受の内側を示す。可変ダイヤル錠１は、本体２，ラッチケース３，ラッチ４，内側外筒５，内側内筒６，クラッチラック７，クラッチ８，ドラム９，ダイヤル１０およびシャフト１３とを備え概ね円筒形である。
【００１４】
ラッチケース３は、金属製の円筒形であり、シャフト１３の軸心と直交する方向に貫通孔６５が形成される。貫通孔６５には不図示のピンが挿入され、ラッチ３が支持される。ラッチ３は、金属製の板状であって一端に外部の錨止部と係合する係合部２１が形成され、他端に後述する内側内筒６および内側外筒５に形成される切り欠き部３８，３９を通過可能な錠止部２２が形成され、中央部２３が内側内筒６および内側外筒５の軸心２４と平行であって軸心２４を含まない平面内で回動可能に支持される。
【００１５】
ラッチ４が支持されたラッチケース３には、内方端面２５側からシャフト１３が挿通される。金属製のシャフト１３の外周面には、かしめて形成された係止部１４が設けられ、シャフト１３に装着された樹脂製のクラッチラック７が支持される。クラッチラック７は、樹脂製の円筒形であり、内方端部外周に複数の三角形状の歯形で形成されたセレーション６２が形成される。
【００１６】
シャフト１３には、クラッチラック７の外方にコイルばね２６が装着された後に、樹脂製のクラッチ８が、コイルばね２６を挟んでクラッチラック７の外側を入れ子状に覆うようにシャフト１３に装着される。図５は、クラッチ８の正面図であり、図６は、外方端部４３の断面図である。クラッチ８の外方端部４３には、六角形の凸部６６が形成される。凸部６６は６本の対角線上に切り込みが設けられ６分割され、さらに中心部にはシャフト１３の逃がし孔が設けられる。
【００１７】
クラッチ８は概ね円筒形であり、クラッチ８の内周面には複数の三角形状の歯形で形成されたセレーション６３が設けられる。シャフト１３が外方に引っ張られない状態では、クラッチ８は、コイルばね２６のばね力によってクラッチラック７に噛み合うことなく独立して回動する。クラッチ８の外面にはコイルばね２７が装着される。
【００１８】
後に詳述するが、コイルばね２６のばね力に抗してシャフト１３に固定したダイヤル１０を外方に引っ張ると、クラッチラック７とクラッチ８とのセレーション６２，６３が噛み合い、クラッチ８がクラッチラック７に拘束されダイヤル１０とともに回動するようになる。
【００１９】
図７は、内側内筒６の平面図であり、図８は、内側内筒６の側面図である。樹脂製の内側内筒６は、概ね円筒形であり、クラッチ８の外面２８に装着されたコイルばね２７の外方端部が内側内筒６の内面奥部２９に当接した状態でクラッチ８を覆うように入れ子状に嵌め込まれる。図７に示すように内側内筒６の外方端面には外周面に三角形状の歯形を有するセレーション３０が設けられた段付き部３１が形成され、後述するドラム９の内方端面の段付き部３３内周面に形成された複数の三角形状の歯形のセレーション３２と噛み合う（図１５参照）。
【００２０】
図９は内側外筒５の平面図であり、図１０は内側外筒５の側面図である。樹脂製の内側外筒５は概ね円筒形であり、内側内筒６の外面段付き部３４に内面段付き部３５が当接した状態で内側内筒６を覆うように入れ子状に嵌め込まれる。
【００２１】
内側内筒６の内方端面３６と内側外筒５の内方端面３７とには、解錠時にラッチ４の錠止部２２を収容する切り欠き部３８，３９が形成される。図７，図９に示すようにＸ軸，Ｙ軸を採ると、切り欠き部３８，３９は共にＸ軸から一定の間隔Ｌ＝１．７ｍｍを開けてＸ軸と平行に幅Ｗ＝２．６ｍｍで形成される。
【００２２】
内側外筒５の外方端面には第１係合部４４が突設される。第１係合部４４は、Ｘ軸を基準として切り欠き部３９が形成される方向とは反対方向である左回りにθ１＝１５°回転した位置からθ２＝１５°の幅で形成される。
【００２３】
なお、内側内筒６および内側外筒５の外方側から見て、内方に設けられた切り欠き部３８と３９とが揃う位置が容易に分かるように、内側内筒６の段付き部３１端面には半径方向に不図示の溝が形成される。たとえば、溝の位置と内側外筒５の第１係合部４４の位置とを合わせると、切り欠き部３８と３９との位置が揃うようにされる。
【００２４】
内側外筒５の外方端面には段付き部６８が設けられ、段付き部６８の外周面には、ダイヤル１０に表示される数字および記号の数に等しい１２箇所の三角形状の歯形６７が形成される。使用者がダイヤル１０を回して、ダイヤル１０と共に回動するドラム９に形成された第２係合部４７（図１６参照）が内側外筒５の第１係合部４４に当接すると、その後内側外筒５はドラム９と共に回動する。この場合に、三角形状の歯形６７が後述する図１１に示す本体２の外方端面に形成されるクリックばね４９の先端突起５０と係合してクリック感を生じさせる。
【００２５】
図１１は、本体２の平面図であり、図１２は、本体２の側面図あり、図１３は、本体２をＡ−Ａ断面で切断した断面図である。樹脂製の本体２は、外方端部に段付き部を有した概ね円筒形であり、内面段付き部４１が内側外筒５の端面４０に当接した状態で内側外筒５を覆うように入れ子状に嵌め込まれ、側面に設けられた貫通孔４２を用いてラッチケース３にねじ止めされる。このとき、内側内筒６および内側外筒５の切り欠き部３８と３９との位置が揃っていると、容易にラッチ４の錠止部２２が切り欠き部３８と３９とを通過した解錠状態で組み立てることができる。なお、本体２の外周面にはラッチ３の係合部２１を回動可能とするために切り欠き部７４が設けられる。
【００２６】
本体２が装着された後に、外方から樹脂製のドラム９がクラッチ８の外方端部４３に装着される。図１４は、ドラム９を外方から見た平面図であり、図１５は、ドラム９を内方から見た下面図であり、図１６は、ドラム９をＢ−Ｂ断面で切断した断面図である。ドラム９は中央部にボスが形成された円筒形である。ドラム９の軸心に形成された断面六角形の貫通孔４５にクラッチ８の凸部６６が縮径された状態で圧入され、ドラム９とクラッチ８とが一体とされる。ドラム９の内方端面にリング状に形成された段付き部３３の内周面には複数の三角形状の歯形のセレーション３２が形成され、図７に示す内側内筒６の外方端面の段付き部３１外周面に形成されるセレーション３０と噛み合う。このときドラム９の内方端部は、本体２の外方端部に円周状に形成された凹部７７に収容されており、クラッチ８と一体となったドラム９は、コイルばね２７のばね力によって内側内筒６に押圧されている。
【００２７】
ドラム９の段付き部３３の端面４６には、第２係合部４７が突設される。第２係合部４７には当接面７６が形成されており、ドラム９が回動すると、当接面７６が、内側外筒５の外方端面に突設される第１係合部４４に当接する。さらにドラム９が回動すると、内側外筒５は、その後ドラム９とともに回動する。ドラム９の外周面６１には、０，１，２，３，４，５，６，７，８，９，＊，♯の１２個の数字および記号が表示されたテープが貼られる。テープは、半径方向に形成される当接面７６がテープの数字５と６との間に位置するように貼られる。
【００２８】
テープと当接面７６との位置関係は、後述する解錠番号の設定に影響を与えるので、本実施例においては、当接面７６がテープの数字５と６との間に位置する場合について説明していくが、テープが貼られる位置はこれに限定されるものではない。
【００２９】
なお、可変ダイヤル錠１を解錠する場合に後述するダイヤル１０を回すと、ダイヤル１０が嵌合するドラム９がダイヤル１０と共に回動するが、回動するドラム９の段付き部３３の外周面には、ドラム９とダイヤル１０とに表示される数字および記号の数に等しい１２箇所の三角形状の歯形４８が形成されており、三角形状の歯形４８が、図１１に示す本体２の外方端面に形成されるクリックばね４９の先端突起５０と係合するときにクリック感を生じさせる。
【００３０】
図１７は、ダイヤル１０を外方から見た平面図であり、図１８は、ダイヤル１０を内方から見た下面図であり、図１９は、ダイヤル１０をＣ−Ｃ断面で切断した断面図である。ドラム９の外方に隣接して樹脂製のダイヤル１０がシャフト１３にダブルナットで固定された状態で装着される。ドラム９がクラッチ８に圧入された状態で、ドラム９の外方端面から突出するシャフト１３のねじ部６９（図４参照）に六角ナット５１を螺合させた後にダイヤル１０がシャフト１３に嵌め込まれる。ドラム９の外方端面の貫通孔４５周縁にはリング状の段付き部５２が形成され、段付き部５２の外周面には複数の三角形状の歯形のセレーション５３が形成されており、ダイヤル１０の内方端面に形成されるリング状の段付き部５４の内周面に形成される複数の三角形状の歯形のセレーション５５と噛み合う。ダイヤル１０を嵌合させた後に、ダイヤル１０の外方端面に形成された凹部５６に六角ナット５７（図４参照）が装着され、ダイヤル１０がドラム９を覆うようにシャフト１３に固定される。
【００３１】
なお、シャフト１３に螺合する六角ナット５１は、ダイヤル１０が装着されてドラム９と噛み合ったときに、クラッチラック７とクラッチ８との間に装着されたコイルばね２６が適度に圧縮されて、ダイヤル１０がドラム９に適度に圧接する位置に螺合される。
【００３２】
ダイヤル１０の外方端面には数字および記号が表示された文字盤５８が接着剤で固定される。そしてラッチケース３の内方端面にはロック部材５９がねじ止めされる。ロック部材５９は、シャフト１３を固定して、通常の使用時にダイヤル１０が不用意に引っ張られて解錠番号が変更されることを防止する。ダイヤル１０を引張って解錠番号を変更する場合には、ロック部材１２を回動させて解除状態とする。
【００３３】
可変ダイヤル錠１の解錠手順について説明する。使用者がダイヤル１０を左側に１回転以上回すと、ダイヤル１０と一体となったドラム９に形成された第２係合部４７が内側外筒５に設けられた第１係合部４４に当接する。さらにダイヤル１０を左側に回転させると、第２係合部４７が第１係合部４４を押して内側外筒５が内側内筒６とともに回動開始する。左側に回転させたときの解錠番号が本体２の目盛６０の位置までくるようにダイヤル１０を回すと、内側外筒５の切り欠き部３９が所定の位置に配置される。第２係合部４７が確実に第１係合部４４に当接した状態で解錠番号が目盛６０に合うようにするために、ダイヤル１０を１回転以上回動させて解錠番号を目盛６０に合わせるようにする。
【００３４】
次に、ダイヤル１０を右側に回転させると、内側外筒５が切り離されて内側内筒６だけで回動する。右側に回転させるときの解錠番号を目盛６０に合わせると、錠止部２２が収容される内側内筒６の切り欠き部３８が所定の位置に配置される。この状態で、切り欠き部３８と３９とが揃って内側外筒５および内側内筒がともに解錠角度位置となり、ラッチ４の錠止部２２は、内側外筒５または内側内筒６と干渉することなく解錠位置に回動される（図３に示す２点鎖線）ので、郵便受けの扉を開けることができる。
【００３５】
次に、解錠番号を変更する手順について説明する。ダイヤル１０の文字盤５８およびドラム９の外周面６１に貼られたテープに表示される０，１，２，３，４，５，６，７，８，９，＊，♯の１２個の数字および記号を、以下番号と呼ぶ。
【００３６】
ダイヤル１０を左側に回転させるときの解錠番号をＮ１とし、ダイヤル１０を右側に回転させるときの解錠番号をＮ２として、解除番号としてＮ１およびＮ２を設定している場合には、前述のように使用者がダイヤル１０を左に１回転以上回してダイヤル１０の番号Ｎ１を目盛６０に合わせ、さらにダイヤル１０を右に１回転以内で回してダイヤル１０の番号Ｎ２を目盛６０に合わせると、内側外筒５および内側内筒６が回動して解錠角度位置となり、可変ダイヤル錠１は解錠可能となる。
【００３７】
ダイヤル１０の解除番号を変更する場合には、この解錠角度位置において、まず、ダイヤル１０が連結されたシャフト１３が軸心方向に移動可能となるように、ラッチケース３の内方端面に取付けられたロック部材５９をロック解除状態とする。次に、クラッチ８の内部に設けられたコイルばね２６のばね力に抗してダイヤル１０を外方に引張ると、ダイヤル１０とドラム９との嵌合が解除される。図２０は、ダイヤル１０とドラム９とが回動可能となった状態の可変ダイヤル錠１の正面図であり、図２１は、ダイヤル１０とドラム９との嵌合が解除された状態を示す断面図である。この状態では、ドラム９は、まだ内側内筒６の外方端面に嵌合した状態を維持している。
【００３８】
さらにダイヤル１０を引っ張ると、クラッチラック７の段付き部外周とクラッチ８の内周面奥部とに形成されたセレーション６２，６３が嵌合し、クラッチ８とクラッチ８の外方端部４３に嵌入されたドラム９とが一体となって外方に移動し、ドラム９と内側内筒６との嵌合が解除される。この状態で、ダイヤル１０と内側内筒５から切り離されたドラム９とが一体となって回動可能となる。図２２は、ダイヤル１０とドラム９とが一体となって回動可能となった状態を示す断面図である。
【００３９】
なお、ダイヤル１０を引張った場合に、ドラム９が内側内筒６の段付き部３１に嵌合した状態を維持してダイヤル１０だけドラム９から切り離されて独立して回動可能になった状態と、さらにダイヤル１０を引張ってドラム９が内側内筒６から切り離され、さらにクラッチラック７とクラッチ８のセレーション６２，６３が嵌合してドラム９がダイヤル１０と一体となって回動可能になった状態とを操作者に知らせ、ばね力に抗してその状態を維持するために、シャフト１３の外周面には凹部６４（図４参照）が２箇所設けられ、ラッチケース３の内部に不図示のボールとコイルばねとが挿入され、むしねじで固定される。コイルばねで押圧されたボールが凹部６４に嵌り込みシャフト１３が保持される。
【００４０】
ダイヤル１０を左側に回動させるときの解錠番号をＮ３とし、ダイヤル１０を右側に回動させるときの解錠番号をＮ４として、新しい解除番号Ｎ３およびＮ４を選択した場合には、まず図２２に示す状態で、ドラム９の新しい解除番号Ｎ３，Ｎ４に対応する番号を目盛６０に合わせる。このときドラム９はダイヤル１０と一体になって回動する。その後、ダイヤル１０を押し込むと、図２１に示すようにドラム９が内側内筒６の段付き部３１に再び嵌合し、さらにクラッチラック７が内方に移動してクラッチラック７とクラッチ８との噛み合いが解かれる。ダイヤル１０は独立して回動可能になるので、新しい解除番号Ｎ３，Ｎ４に対応するダイヤル１０の番号を目盛６０に合わせた後に、ダイヤル１０を内方に押し込んでダイヤル１０をドラム９の外方端面に嵌合させる。
【００４１】
ダイヤル１０が引張られて、回動自在となったダイヤル１０とドラム９との組み合わせが不用意に変わり、設定された解錠番号が変更されることを防止するために、ロック部材５９はロック状態にされる。新しい解錠番号は、このような手順で設定される。
【００４２】
ここで、新しい解除番号Ｎ３およびＮ４と、新しい解除番号に対応して目盛６０に合わせるドラム９の番号およびダイヤル１０の番号との関係について説明する。図２３は、新たな解除番号Ｎ３およびＮ４と、目盛６０に合わせるドラム９およびダイヤル１０の番号との関係を示す図である。図（ａ）は、目盛６０に合わせるドラム９の番号を０にした場合を示し、図（ｂ）〜図（ｄ）は、目盛６０に合わせるドラム９の番号を各々＊，７，３とした場合を示す。図（ａ）〜図（ｄ）に示す０，１，２，３，４，５，６，７，８，９，＊，♯の番号が表示されたリング７３はドラム９を示し、符号７１は内側外筒５を示す。実際の内側外筒５はドラム９よりも小径であるが、説明を分かり易くするためにドラム９の外周に表示する。
【００４３】
ドラム９およびダイヤル１０に各々表示される０，１，２，３，４，５，６，７，８，９，＊，♯の１２個の番号は、ダイヤル１０の外方から見て右回りにこの順番で並んでおり、ドラム９の第２係合部４７の当接面７６は、ドラム９に表示される数字５と６との間に位置している。一点鎖線７２は、内側外筒５および内側内筒６が、切り欠き部３８，３９が揃った状態で解錠角度位置にあり、ラッチ４が切り欠き部３８，３９に収容され解錠位置にあることを示す。
【００４４】
図（ａ）では、目盛６０に合わすドラム９の番号を０とした場合に、ドラム９の番号０と組み合わせて目盛６０に合わすダイヤル１０の番号を任意に選んだときの新たな解除番号Ｎ３およびＮ４が求められる。図（ａ）の状態で内側外筒５および内側内筒６は、共に解錠角度位置にあり、切り欠き部３８，３９が揃っている。たとえば目盛６０に合わせるダイヤル１０の番号として４（不図示）を選んだ場合には、ダイヤル１０を右側に回転させたときの解錠番号Ｎ４はダイヤル１０の番号として選んだ４（不図示）である。このときドラム９に設けられた第２係合部４７の当接面７６は、内側外筒５に設けられた第１係合部４４に当接する位置からドラム９が番号３つ分右に回動した位置にあるので、ダイヤル１０を左側に回転させたときの解錠番号Ｎ３は、現在のダイヤル１０の番号４が目盛６０に合っている位置からドラム９が番号３つ分左に回動したときに目盛６０に合うダイヤル１０の番号７（不図示）となる。これによって新たな解除番号Ｎ３，Ｎ４として７および４を選択する場合には、目盛６０に合わせるドラム９とダイヤル１０との番号を夫々０と４とに設定すればよいことが分かる。
【００４５】
図（ｂ）は、目盛６０に合わせるドラム９の番号を＊とする場合を示す。目盛６０に合わすダイヤル１０の番号としてたとえば９を選んだ場合に、ダイヤル１０を右側に回転させたときの解錠番号Ｎ４はダイヤル１０の番号として選んだ９（不図示）となる。このときドラム９に設けられた第２係合部４７の当接面７６は、内側外筒５に設けられた第１係合部４４に当接する位置からドラム９が番号５つ分右に回動した位置にあるので、ダイヤル１０を左側に回転させたときの解錠番号Ｎ３は、現在のダイヤル１０の番号９が目盛６０に合っている位置からドラム９が番号５つ分左に回動したときに目盛６０に合うダイヤル１０の番号２（不図示）となる。これによって新たな解除番号Ｎ３，Ｎ４を２および９とする場合には、目盛６０に合わせるドラム９とダイヤル１０との番号を夫々＊と９とに設定すればよいことが分かる。
【００４６】
図（ｃ）は、目盛６０に合わすドラム９の番号を７とする場合を示す。目盛６０に合わすダイヤル１０の番号としてたとえば５を選んだ場合に、ダイヤル１０を右側に回転させたときの解錠番号Ｎ４はダイヤル１０の番号として選んだ５（不図示）となる。このときドラム９に設けられた第２係合部４７の当接面７６は、内側外筒５に設けられた第１係合部４４に当接する位置からドラム９が番号８つ分右に回動した位置にあるので、ダイヤル１０を左側に回転させたときの解錠番号Ｎ３は、現在のダイヤル１０の番号５が目盛６０に合っている位置からドラム９が番号８つ分左に回動したときに目盛６０に合うダイヤル１０の番号１（不図示）となる。これによって新たな解除番号Ｎ３，Ｎ４を１および５とする場合には、目盛６０に合わせるドラム９とダイヤル１０との番号を夫々７と５とに設定すればよいことが分かる。
【００４７】
図（ｄ）は、目盛６０に合わすドラム９の番号を３とする場合を示す。目盛６０に合わすダイヤル１０の番号としてたとえば１を選んだ場合に、ダイヤル１０を右側に回転させたときの解錠番号Ｎ４はダイヤル１０の番号として選んだ１（不図示）となる。このときドラム９に設けられた第２係合部４７の当接面７６は、内側外筒５に設けられた第１係合部４４に当接する位置にあるので、解錠番号Ｎ３は、現在のダイヤル１０の番号５が目盛６０に合っている位置で目盛６０に合うダイヤル１０の番号１（不図示）となる。これによって新たな解除番号Ｎ３，Ｎ４を１および１とする場合には、目盛６０に合わせるドラム９とダイヤル１０との番号を夫々３と１とに設定すればよいことが分かる。
【００４８】
解除番号Ｎ３，Ｎ４は、０，１，２，３，４，５，６，７，８，９，＊，♯の１２個の番号の組み合わせとすることができるが、図（ｄ）で説明したように解除番号Ｎ３，Ｎ４が１，１または２，２等の同じ番号の組み合わせとなる場合を避けることとすると１３２通りの組み合わせが可能である。選択した解除番号Ｎ３，Ｎ４の組み合わせに対応して、各々目盛６０に合わせるドラム９とダイヤル１０との番号の組み合わせが決定される。
【００４９】
本実施例においては、ダイヤル１０を左側に回動させて左側に回動させたときの解除番号を目盛に合わせた後に、ダイヤル１０を右側に回動させて右側に回動させたときの解除番号を目盛に合わせて解錠するが、これに限定されるものではなく、ダイヤル１０を最初に右側に回動させて右側に回動させたときの解除番号を目盛に合わせた後に、ダイヤル１０を左側に回動させて左側に回動させたときの解除番号を目盛に合わせて解錠するように設定することも可能である。
【００５０】
これまで説明してきた可変ダイヤル錠１は、ラッチ４が水平面内で回動するものである。たとえば蓋板が水平方向に回動する郵便受の自由端部に可変ダイヤル錠１が装着され、ラッチ４の係合部２１と係合する棒状の錨止部が郵便受の内側面に鉛直方向に設置されるものであるが、これに限定されるものではなく、たとえば可変ダイヤル錠１が、蓋板が垂直方向に回動する郵便受の自由端部に装着され、ラッチ４の係合部２１と係合する棒状の錨止部が郵便受の内側面に水平方向に設置され、ラッチ４が鉛直面内で回動するものについても適用可能である。この場合本体２に設けられる目盛の位置は、外方から見たとき図１１に示す目盛６０の位置から左方向に９０°回転移動した位置となり、図２３に示す目盛６０の位置も現在の位置から左方向に９０°回転移動した位置となる。なお、本体２には、予め目盛が２箇所一体成形されており、蓋の開閉方向に応じて不要な目盛部分を削り取って用いられる。
【００５１】
可変ダイヤル錠１は、このような構成を採ることによって小型化が図られている。本体２の取付け部の外径は従来品と同様とされるので、蓋板などに追加工をすることなく容易に従来品から可変ダイヤル錠１に変更することができ、コストダウンにも繋がっている。
【００５２】
このように、ハウジングとしてのカップ状の本体２と、本体２に同心状に嵌め込まれて相互に独立して回動することができるように支持された内側内筒６および内側外筒５と、一端に外部の錨止部と係合する係合部２１が形成され、他端に内側内筒６および内側外筒５に形成された切り欠き部３８，３９を通過可能な錠止部２２が形成され、中央部が内側内筒６および内側外筒５の軸心２４と平行であって軸心２４を含まない平面内で回動可能に支持され内側内筒６および内側外筒５の内方に装着されるラッチ体４と、軸心２４上で内側内筒６の外方端部に嵌合され、かつ内側外筒６の外方端部に形成される第１係合部４４と係合し内側外筒５を回動させる第２係合部４５が形成されるドラム９と、ドラム９の外方端部に嵌合してドラム９と共に回動するダイヤル１０とを備える可変ダイヤル錠１において、内側内筒６の内側には、ドラム９が連結されるクラッチ８と、ダイヤル１０が連結されたシャフト１３に固定されクラッチ８と噛み合い可能なクラッチラック７とが設けられ、錠止部２２が解錠可能位置に置かれた内側内筒６および内側外筒５の切り欠き３８，３９を通過した状態で、ダイヤル１０が外方に引張られると、クラッチラック７がクラッチ８と噛み合い内側内筒６から分離され独立して回動可能となるドラム９と、ドラム９から分離され独立して回動可能となるダイヤル１０とに表示される番号の組み合わせを変更して新たな解錠番号を設定することができるように構成したので、郵便受けの蓋を閉めてラッチ４を施錠位置に置く必要がなく、解錠状態でダイヤル１０を操作して解錠番号を変更することができる可変ダイヤル錠１を提供することができる。
【符号の説明】
【００５３】
１，８１    可変ダイヤル錠
２    本体
３    ラッチケース
４，９０    ラッチ
５，７１，８３    内側外筒
６，８２    内側内筒
７    クラッチラック
８    クラッチ  
９    ドラム
１０    ダイヤル
１３    シャフト
１４    係止部
２１    係合部
２２，９１    錠止部
２３    中央部
２４    軸心
２５，３６，３７，４０，４６，７５    端面
２６，２７    コイルばね
３１，３３，３４，３５，４１，５２，５４，６８    段付き部
２８    外面
２９    内面奥部
３０，３２，５３，５５，６２，６３    セレーション
４８，６７    歯形
３８，３９，７４，８８，８９，９４，９５    切り欠き部
４２，６５    貫通孔
４３    端部
４４    第１係合部
４５    貫通孔
４７    第２係合部
４９    クリックばね
５０    先端突起
５１，５７    六角ナット
５６，６４，７７    凹部
５８    文字盤
５９    ロック部材
６０    目盛
６１    外周面
６６    凸部
６９    ねじ部
７２    一点鎖線
７３    リング
７６    当接面
８４    第１リングストッパー
８５    第２リングストッパー
８６    摘み
８７    番号変換ブロック
９２，９３    中心開口部
【図１】
0005538944.tif 000002
【図２】
0005538944.tif 000003
【図３】
0005538944.tif 000004
【図４】
0005538944.tif 000005
【図５】
0005538944.tif 000006
【図６】
0005538944.tif 000007
【図７】
0005538944.tif 000008
【図８】
0005538944.tif 000009
【図９】
0005538944.tif 000010
【図１０】
0005538944.tif 000011
【図１１】
0005538944.tif 000012
【図１２】
0005538944.tif 000013
【図１３】
0005538944.tif 000014
【図１４】
0005538944.tif 000015
【図１５】
0005538944.tif 000016
【図１６】
0005538944.tif 000017
【図１７】
0005538944.tif 000018
【図１８】
0005538944.tif 000019
【図１９】
0005538944.tif 000020
【図２０】
0005538944.tif 000021
【図２１】
0005538944.tif 000022
【図２２】
0005538944.tif 000023
【図２３】
0005538944.tif 000024
【図２４】
0005538944.tif 000025
【図２５】
0005538944.tif 000026
【図２６】
0005538944.tif 000027